(57)【要約】【課題】別入力系統への切り替え操作が簡潔で、視聴中の入力以外に対して動作や処理の必要がない受信放送局選択方法を提供する。【解決手段】ワンセグ３００Ａのチャンネル選択部３００ａを起動する（Ｓ１１）ことで、表示部１１にチャンネル選択画面が表示される。次に、視聴したい番組を選択する（Ｓ１２）。別入力であるモバＨＯ！３００Ｂを選択した場合（Ｓ１２；Ｙｅｓ）、オペレーティングシステム３０１がワンセグ３００Ａを終了し、同時にチューナドライバ３０２にコマンドを送信してチューナ２０２Ａを終了させる（Ｓ１３）。次に、モバＨＯ！３００Ｂを起動し、チューナドライバ３０３にコマンドを送信してチューナ２０２Ｂを起動する（Ｓ１４）別入力を選択せずワンセグ３００Ａのチャンネルを選択した場合（Ｓ１２；Ｎｏ）、チューナ２０２Ａのチャンネルを切り替える（Ｓ１５）。次に、チャンネル選択画面を終了して番組を表示する（Ｓ１６）。【選択図】図５
2007318399.tif 000002
【特許請求の範囲】
【請求項１】
第１の放送電波を受信する第１の入力を起動中に、前記第１の入力のチャンネルと第２の放送電波を受信する第２の入力を選択可能なチャンネル選択画面を表示部に表示する表示ステップと、
前記第２の入力を選択した場合に、前記第１の入力を終了する切替ステップと、
前記第２の入力を起動する起動ステップとからなることを特徴とする受信チャンネル選択方法。
【請求項２】
第１の放送電波を受信する第１の入力を制御する第１のアプリケーションの起動中に、前記第１の入力のチャンネルと第２の放送電波を受信する第２の入力を選択可能なチャンネル選択画面を表示部に表示する表示ステップと、
前記第２の入力を選択した場合に、オペレーティングシステムが前記第１のアプリケーションを終了する切替ステップと、
前記オペレーティングシステムが前記第２の入力を制御する第２のアプリケーションを起動する起動ステップとからなることを特徴とする受信チャンネル選択方法。
【請求項３】
第１の放送電波を処理する第１の入力を制御する第１のアプリケーションの起動中に、前記第１の入力のチャンネルと第２の放送電波を処理する第２の入力を選択可能なチャンネル選択画面を表示部に表示する表示ステップと、
前記第２の入力を選択した場合に、オペレーティングシステムが前記第１のアプリケーションと前記第１の放送電波を受信する第１のチューナを終了する切替ステップと、
前記オペレーティングシステムが前記第２の入力を制御する第２のアプリケーションと前記第２の放送電波を受信する第２のチューナを起動する起動ステップとからなることを特徴とする受信チャンネル選択方法。
【請求項４】
第１の放送電波を受信する第１の入力を制御する第１のアプリケーションの起動中に、前記第１の入力のチャンネルと前記第１の入力以外の複数の入力を選択可能なチャンネル選択画面を表示部に表示する表示ステップと、
前記第１の入力以外の複数の入力中の第２の入力を選択した場合に、オペレーティングシステムが前記第１のアプリケーションを終了する切替ステップと、
前記オペレーティングシステムが前記第２の入力を制御する第２のアプリケーションを起動する起動ステップとからなることを特徴とする受信チャンネル選択方法。
【請求項５】
第１の放送電波を処理する第１の入力を制御する第１のアプリケーションの起動中に、前記第１の入力のチャンネルと前記第１の入力以外の複数の入力を選択可能なチャンネル選択画面を表示部に表示する表示ステップと、
前記第１の入力以外の複数の入力中の第２の入力を選択した場合に、オペレーティングシステムが前記第１のアプリケーションと前記第１の放送電波を受信する第１のチューナを終了する切替ステップと、
前記オペレーティングシステムが前記第２の入力を制御する第２のアプリケーションと前記第２の放送電波を受信する第２のチューナを起動する起動ステップとからなることを特徴とする受信チャンネル選択方法。
【発明の詳細な説明】
【技術分野】
【０００１】
本発明は、テレビ放送受信機の受信チャンネル選択方法に関し、特に複数のチューナーを有する携帯型のテレビ放送受信機での受信チャンネル選択方法に関する。
【背景技術】
【０００２】
従来の技術として、複数の放送局から選局可能なチャンネルを集めていくつかのチャンネル群に分割し、チャンネル群を選択した後に、チャンネル群に含まれるチャンネルを選択するという順序で受信放送局を決定する選局方法が知られている（例えば、特許文献１）。
【０００３】
この選局方法によると、デジタル放送の複数の放送媒体を介し得られる選局情報を基にして、膨大な数のチャンネルをいくつかのチャンネル群に分割するため、ユーザーはまずチャンネル群に特徴づけられた情報、例えばＢＳ（Ｂｒｏａｄｃａｓｔｉｎｇ  Ｓａｔｅｌｌｉｔｅ）、ＣＳ（Ｃｏｍｍｕｎｉｃａｔｉｏｎ  Ｓａｔｅｌｌｉｔｅ）、地上デジタル等の放送入力系統の情報を基にチャンネル群を選択することで所望のチャンネルの集合を絞り込んで限定することができる。その後、チャンネル群より所望のチャンネルを選択するというステップを踏むことにより、膨大な数のチャンネルをひとつひとつ切り替えることなくチャンネルを決定することが可能で、リモコンや本体に設置されたチャンネル切り替えのためのボタンを操作する回数が少なくなり、受信チャンネル選択までの時間が短縮されるとともに、放送入力系統ごとの選択ボタンが必要なくなる。
【特許文献１】特開２００４−２９７３５５号公報
【発明の開示】
【発明が解決しようとする課題】
【０００４】
しかし、従来の選局方法によると、別の入力系統のチャンネルを選択するために、その都度チャンネル選択操作を繰り返す必要があるため、ボタン操作効率が悪いという問題がある。また、すべてのチャンネルを参照してチャンネル群を生成するため、常にすべての入力系統のチューナを立ち上げておく必要あり、消費電力が大きいという問題がある。また、チャンネル選択の度にすべてのチャンネルよりチャンネル群を生成するため、テレビ放送受信機の処理負担が大きいという問題がある。
【０００５】
従って、本発明の目的は、別入力系統への切り替え操作が簡潔で、視聴中の入力以外に対して動作や処理の必要がない受信チャンネル選択方法を提供することにある。
【課題を解決するための手段】
【０００６】
（１）本発明は上記目的を達成するため、第１の放送電波を受信する第１の入力を起動中に、前記第１の入力のチャンネルと第２の放送電波を受信する第２の入力を選択可能なチャンネル選択画面を表示部に表示する表示ステップと、前記第２の入力を選択した場合に、前記第１の入力を終了する切替ステップと、前記第２の入力を起動する起動ステップとからなることを特徴とする受信チャンネル選択方法を提供する。
【０００７】
このような方法によれば、視聴中の第１の入力のチャンネル選択画面に、第１の入力のチャンネルに加えて第２の入力が表示されるため、入力切り替えに要する操作工程が少なくて済む。また、視聴していない入力は起動していないため、省電力となる。
【０００８】
（２）また、本発明は上記目的を達成するため、第１の放送電波を受信する第１の入力を制御する第１のアプリケーションの起動中に、前記第１の入力のチャンネルと第２の放送電波を受信する第２の入力を選択可能なチャンネル選択画面を表示部に表示する表示ステップと、前記第２の入力を選択した場合に、オペレーティングシステムが前記第１のアプリケーションを終了する切替ステップと、前記オペレーティングシステムが前記第２の入力を制御する第２のアプリケーションを起動する起動ステップとからなることを特徴とする受信チャンネル選択方法を提供する。
【０００９】
このような方法によれば、視聴中の第１の入力のチャンネル選択画面に、第１の入力のチャンネルに加えて第２の入力が表示されるため、入力切り替えに要する操作工程が少なくて済む。また、視聴していない入力のアプリケーションを起動していないため、装置の処理負担が小さくなり、省電力となる。
【００１０】
（３）また、本発明は上記目的を達成するため、第１の放送電波を処理する第１の入力を制御する第１のアプリケーションの起動中に、前記第１の入力のチャンネルと第２の放送電波を処理する第２の入力を選択可能なチャンネル選択画面を表示部に表示する表示ステップと、前記第２の入力を選択した場合に、オペレーティングシステムが前記第１のアプリケーションと前記第１の放送電波を受信する第１のチューナを終了する切替ステップと、前記オペレーティングシステムが前記第２の入力を制御する第２のアプリケーションと前記第２の放送電波を受信する第２のチューナを起動する起動ステップとからなることを特徴とする受信チャンネル選択方法を提供する。
【００１１】
このような方法によれば、（２）の効果に加え、視聴していない入力のチューナーを起動していないため、省電力となる。
【００１２】
（４）また、本発明は上記目的を達成するため、第１の放送電波を受信する第１の入力を制御する第１のアプリケーションの起動中に、前記第１の入力のチャンネルと前記第１の入力以外の複数の入力を選択可能なチャンネル選択画面を表示部に表示する表示ステップと、前記第１の入力以外の複数の入力中の第２の入力を選択した場合に、オペレーティングシステムが前記第１のアプリケーションを終了する切替ステップと、前記オペレーティングシステムが前記第２の入力を制御する第２のアプリケーションを起動する起動ステップとからなることを特徴とする受信チャンネル選択方法を提供する。
【００１３】
このような方法によれば、複数の入力に対し、（２）と同様の効果が得られる。
【００１４】
（５）また、本発明は上記目的を達成するため、第１の放送電波を処理する第１の入力を制御する第１のアプリケーションの起動中に、前記第１の入力のチャンネルと前記第１の入力以外の複数の入力を選択可能なチャンネル選択画面を表示部に表示する表示ステップと、前記第１の入力以外の複数の入力中の第２の入力を選択した場合に、オペレーティングシステムが前記第１のアプリケーションと前記第１の放送電波を受信する第１のチューナを終了する切替ステップと、前記オペレーティングシステムが前記第２の入力を制御する第２のアプリケーションと前記第２の放送電波を受信する第２のチューナを起動する起動ステップとからなることを特徴とする受信チャンネル選択方法を提供する。
【００１５】
このような方法によれば、複数の入力に対し、（３）と同様の効果が得られる。
【発明の効果】
【００１６】
本発明によれば、簡潔に所望のチャンネルへ切り替えることができ、装置の省電力化が可能となる。
【発明を実施するための最良の形態】
【００１７】
以下に、本発明の受信チャンネル選択方法の実施の形態を図面を参考にして詳細に説明する。
【００１８】
（映像処理装置の構成）
図１（ａ）は、本発明の実施の形態に関する映像処理装置の平面図である。図１（ｂ）は、本発明の実施の形態に関する映像処理装置の左側面を示す側面図である。図１（ｃ）は、本発明の実施の形態に関する映像処理装置の正面図である。
【００１９】
映像処理装置１は、内部にＣＰＵや、小型のＨＤＤ（Ｈａｒｄ Ｄｉｓｃ Ｄｒｉｖｅ）等の電子部品を有し、正面には文字、画像等を表示する表示部１１と、音声を出力するスピーカ１０と、表示項目を操作するためのスタートスイッチ１２０とバックスイッチ１２１と操作キースイッチ１２２とクイックスイッチ１２３とボリュームスイッチ１２４とからなる操作部２０１とを有する。左側面には、イヤホンジャック１３０と外部より電源を供給できる電源ジャック１３１とＵＳＢ端子１３２と拡張コネクタ１３３とアンテナ１２６とを有する。上側面には、再生状態を制御する再生操作スイッチ群１２５を有する。
【００２０】
操作キースイッチ１２２は、外側に上下左右を指定するスイッチを有しており、中心に決定スイッチ１２２Ａを有する。
【００２１】
図２は、本発明の実施の形態に関する映像処理装置の概略構成図である。
【００２２】
制御部２００は、映像処理装置１の各部を統括して制御し、チューナ選択、オーディオやビデオ等のコンテンツのファイルシステム管理、エンコードおよびデコード時の制御、再生モード設定、ユーザーインターフェース制御等の処理動作を行う。
【００２３】
操作部２０１は、映像処理装置１に設けられる各スイッチの操作に応じた操作信号を制御部２００に出力する。
【００２４】
チューナ２０２Ａはワンセグ放送の映像信号を受信する。チューナ２０２ＢはモバＨＯ！放送の映像信号を受信する。
【００２５】
メモリ２０３は、処理データを一時的に記憶し、各部での処理を補助する。
【００２６】
記憶部２０４は、映像処理装置１を動作させるためのファームウエア、再生および制御に必要なアプリケーションプログラム、プログラムの設定データ、ビデオ等のコンテンツの管理に必要な管理データ、そしてビデオ等のコンテンツデータを記憶する。
【００２７】
ＴＶエンコーダ２０５は、チューナ２０２Ａおよび２０２Ｂより受信した映像信号を符号化し記憶部２０４に記憶し保存する。
【００２８】
駆動回路２０６は、バックライト２０６ａとＬＣＤコントローラ２０６ｂを有し、ユーザー操作に基づく表示画面に応じたデータを制御部２００からバス２０９を介して入力することにより表示部１１を駆動制御する。
【００２９】
音声出力部２０７は、オーディオ信号を内蔵されたアンプで増幅してイヤホンジャック１３０に出力する。
【００３０】
インターフェース（Ｉ／Ｆ）部２０８は、ＵＳＢ端子１３２と拡張コネクタ１３３を有し、ＵＳＢ端子１３２等に外部機器が接続されたとき、ＵＳＢコントローラ２０８ａによりバス２０９に対してコンテンツのデータの入出力を制御する。
【００３１】
（ソフトウェアの構成）
図３は、本発明の実施の形態におけるソフトウェア構成を示す概略図である。
【００３２】
ソフトウェアは、アプリケーション群３０００Ａと、オペレーティングシステム３０１と、ドライバ群３０００Ｂとからなり、各ドライバに対応したデバイス群２０００が接続されている。
【００３３】
アプリケーション群３０００Ａは、ワンセグ放送を処理するワンセグ３００Ａと、モバＨＯ！放送を処理するモバＨＯ！３００Ｂと、各種ゲームソフトを実行可能なゲーム３００Ｃと、音声ファイルおよび映像ファイルを再生および記録可能なメディアプレイヤ３００Ｄとを有する。
【００３４】
ワンセグ３００Ａは、チャンネルを選択するためのメニュー表示をするチャンネル選択部３００ａを有し、モバＨＯ！３００Ｂは、チャンネルを選択するためのメニュー表示をするチャンネル選択部３００ｂを有する。
【００３５】
オペレーティングシステム３０１は、アプリケーション群３０００Ａとドライバ群３０００Ｂを統括して管理する。
【００３６】
ドライバ群３０００Ｂは、チューナ２０２Ａを管理するチューナドライバ３０２と、チューナ２０２Ｂを管理するチューナドライバ３０３と、ＬＣＤコントローラ２０６ｂとバックライト２０６ａとＴＶエンコーダ２０５とを管理して制御するディスプレイドライバ３０４と、操作部２０１からの入力信号を制御するキードライバ３０５とを有する。
【００３７】
（表示画面の構成）
図４Ａ（ａ）は、本発明の実施の形態における起動時のスタートメニューの表示画面構成を示す図である。図４Ａ（ｂ）は、本発明の実施の形態におけるワンセグ起動時のワンセグメニューの表示画面構成を示す図である。図４Ａ（ｃ）は、本発明の実施の形態におけるワンセグ視聴中の表示画面構成を示す図である。図４Ａ（ｄ）は、本発明の実施の形態におけるモバＨＯ！起動時のモバＨＯ！メニューの表示画面構成を示す図である。図４Ａ（ｅ）は、本発明の実施の形態におけるモバＨＯ！視聴中の表示画面構成を示す図である。
【００３８】
図４Ａ（ａ）に示すように、映像処理装置１を起動すると表示部１１にスタートメニューが表示される。各アプリケーションを選択枠１１Ａにより選択して起動することが可能となる。
【００３９】
図４Ａ（ａ）においてワンセグを選択することにより、図４Ａ（ｂ）に示すように、表示部１１にワンセグメニューが表示される。各メニューは選択枠１１Ａにより選択することが可能となる。選択枠１１Ａは、操作キースイッチ１２２により操作することができる。選択は決定スイッチ１２２Ａにより行う。
【００４０】
図４Ａ（ｂ）において視聴を選択することにより、図４Ａ（ｃ）に示すように、表示部１１に表示画像１１Ｂとして、前回視聴時に視聴していたチャンネルの番組が表示される。
【００４１】
図４Ａ（ａ）においてモバＨＯ！を選択することにより、図４Ａ（ｄ）に示すように、表示部１１にモバＨＯ！メニューが表示される。各メニューは選択枠１１Ａにより選択することが可能となる。
【００４２】
図４Ａ（ｄ）において視聴を選択することにより、図４Ａ（ｅ）に示すように、表示部１１に表示画像１１Ｂとして、前回視聴時に視聴していたチャンネルの番組が表示される。
【００４３】
図４Ｂ（ｆ）および（ｇ）は、本発明の実施の形態におけるワンセグ使用時のチャンネル選択画面の表示画面構成を示す図である。図４（ｈ）および（ｉ）は、本発明の実施の形態におけるモバＨＯ！使用時のチャンネル選択画面の表示画面構成を示す図である。
【００４４】
図４（ｆ）および（ｇ）に示すように、表示部１１は、ワンセグ視聴時に操作キースイッチ１２２を操作することによりチャンネル選択画面として、ワンセグのチャンネル名に加えモバＨＯ！起動バー１１Ｃが表示され、それぞれを選択枠１１Ａによって選択することが可能となる。
【００４５】
また同様に、図４（ｈ）および（ｉ）に示すように、表示部１１は、モバＨＯ！視聴時に操作キースイッチ１２２を操作することによりチャンネル選択画面として、モバＨＯ！のチャンネル名に加えワンセグ起動バー１１Ｄが表示され、それぞれを選択枠１１Ａによって選択することが可能となる。
【００４６】
（制御部の動作）
以下に、本発明の実施の形態における映像処理装置の動作を図１から図５を参照しつつ説明する。
【００４７】
図５は、本発明の実施の形態に関する制御部の処理動作を示すフローチャートである。
【００４８】
以下の説明において、ワンセグ３００Ａを起動している状態を前提とする。まず、操作部２０１を操作することにより、ワンセグ３００Ａのチャンネル選択部３００ａを起動する（Ｓ１１）ことで、表示部１１に図４（ｆ）に示すチャンネル選択画面が表示される。
【００４９】
次に、操作キースイッチ１２２を操作することで選択枠１１Ａを移動させて視聴したい番組を選択する（Ｓ１２）。選択決定は決定スイッチ１２２Ａにより行う。別入力であるモバＨＯ！起動バー１１Ｃを選択した場合（Ｓ１２；Ｙｅｓ）、オペレーティングシステム３０１がワンセグ３００Ａを終了し、同時にチューナドライバ３０２にコマンドを送信してチューナ２０２Ａを終了させる（Ｓ１３）。次に、オペレーティングシステム３０１がモバＨＯ！３００Ｂを起動し、チューナドライバ３０３にコマンドを送信してチューナ２０２Ｂを起動する（Ｓ１４）。表示部１１は、図４Ａ（ｅ）に示す表示となる。
【００５０】
別入力を選択せずワンセグ３００Ａのチャンネルを選択した場合（Ｓ１２；Ｎｏ）、ワンセグ３００Ａがチューナドライバ３０２にコマンドを送信してチューナ２０２Ａのチャンネルを切り替える（Ｓ１５）。次に、チャンネル選択画面を終了して番組を表示する（Ｓ１６）。
【００５１】
以上の説明において、モバＨＯ！３００Ｂを起動中においても同様に動作する。
【００５２】
（実施の形態の効果）
上記した実施の形態によると、チャンネル選択画面より別入力を選択可能としたため、選択用の操作キースイッチ１２２と決定用の決定スイッチ１２２Ａのみで切り替えが可能となる。本実施の形態においては、操作キースイッチ１２２は２方向でよい。また、メニューを遡る必要がなくなり、別入力選択のステップが短縮される。
【００５３】
また、チューナ２０２Ａおよびチューナ２０２Ｂの使用されていないものは、機能停止状態となるため、省電力となる。
【００５４】
なお、入力としてワンセグとモバＨＯ！について説明したが、これらに限らず地上デジタル、ＢＳ、ＣＳ、アナログ等の他の入力を使用しても構わない。また、入力は２系統に限らず、複数設置しても構わない。
【００５５】
なお、操作ボタンはホイール式でもよく、２方向の制御および決定制御が可能であれば形態は問わない。
【図面の簡単な説明】
【００５６】
【図１】（ａ）は、本発明の実施の形態に関する映像処理装置の上面を示す展開図である。（ｂ）は、本発明の実施の形態に関する映像処理装置の左側面を示す展開図である。（ｃ）は、本発明の実施の形態に関する映像処理装置の正面を示す展開図である。
【図２】本発明の実施の形態に関する映像処理装置の概略構成図である。
【図３】本発明の実施の形態におけるソフトウェア構成を示す概略図である。
【図４Ａ】（ａ）は、本発明の実施の形態における起動時のスタートメニューの表示画面構成を示す図である。（ｂ）は、本発明の実施の形態におけるワンセグ起動時のワンセグメニューの表示画面構成を示す図である。（ｃ）は、本発明の実施の形態におけるワンセグ視聴中の表示画面構成を示す図である。（ｄ）は、本発明の実施の形態におけるモバＨＯ！起動時のモバＨＯ！メニューの表示画面構成を示す図である。（ｅ）は、本発明の実施の形態におけるモバＨＯ！視聴中の表示画面構成を示す図である。
【図４Ｂ】（ｆ）および（ｇ）は、本発明の実施の形態におけるワンセグ使用時のチャンネル選択画面の表示画面構成を示す図である。（ｈ）および（ｉ）は、本発明の実施の形態におけるモバＨＯ！使用時のチャンネル選択画面の表示画面構成を示す図である。
【図５】本発明の実施の形態に関する制御部の処理動作を示すフローチャートである。
【符号の説明】
【００５７】
１…映像処理装置、１０…スピーカ、１１…表示部、１１Ａ…選択枠、１１Ｂ…表示画像、１１Ｃ…モバＨＯ！起動バー、１１Ｄ…ワンセグ起動バー、１２０…スタートスイッチ、１２１…バックスイッチ、１２２…操作キースイッチ、１２２Ａ…決定スイッチ、１２３…クイックスイッチ、１２４…ボリュームスイッチ、１２５…再生操作スイッチ群、１２６…アンテナ、１３０…イヤホンジャック、１３１…電源ジャック、１３２…ＵＳＢ端子、１３３…拡張コネクタ、２００…制御部、２０１…操作部、２０２Ａ…チューナ、２０２Ｂ…チューナ、２０３…メモリ、２０４…記憶部、２０５…ＴＶエンコーダ、２０６…駆動回路、２０６ａ…バックライト、２０６ｂ…ＬＣＤコントローラ、２０７…音声出力部、２０８…Ｉ／Ｆ部、２０８ａ…ＵＳＢコントローラ、２０９…バス、３００Ａ…ワンセグ、３００ａ…チャンネル選択部、３００Ｂ…モバＨＯ！、３００Ｃ…ゲーム、３００Ｄ…メディアプレイヤ、３０１…オペレーティングシステム、３０２…チューナドライバ、３０３…チューナドライバ、３０４…ディスプレイドライバ、３０５…キードライバ、２０００…デバイス群、３０００Ａ…アプリケーション群、３０００Ｂ…ドライバ群
【図１】
2007318399.tif 000003
【図２】
2007318399.tif 000004
【図３】
2007318399.tif 000005
【図４Ａ】
2007318399.tif 000006
【図４Ｂ】
2007318399.tif 000007
【図５】
2007318399.tif 000008